(57)【要約】【課題】高品質な光レベル調整制御を行って、装置規模を削減し、光伝送の品質及び信頼性の向上を図る。【解決手段】第１の光可変減衰器１４は、制御信号にもとづいて、すべてのＴｈｒｕ光の光レベルを一括して調整する。第２の光可変減衰器１５は、制御信号にもとづいて、波長多重後のすべてのＡｄｄ光の光レベルを一括して調整する。光合波部１６は、第１の光可変減衰器１４及び第２の光可変減衰器１５から出力される光信号を合波する。光モニタ部１７は、第１の光可変減衰器１４及び第２の光可変減衰器１５から出力された後の光信号をモニタする。光レベル調整制御部１８は、モニタ結果にもとづいて、ポストアンプ１２の入力レベル範囲内で、かつ各波長の光レベルがすべて同一値となるように、制御信号を生成して、第１の光可変減衰器１４及び第２の光可変減衰器１５の光レベルの調整制御を行う。【選択図】        図１
2004228671.tif 000002
【特許請求の範囲】
【請求項１】
ＷＤＭの光伝送を行う光伝送装置において、
前局からの光信号を受信し増幅するプリアンプと、
合波された光信号を増幅し、次局へ送信するポストアンプと、
前記プリアンプで増幅後の光信号を、Ｔｈｒｕ光とＤｒｏｐ光とに分岐する光分岐部と、
制御信号にもとづいて、波長多重されているＴｈｒｕ光の光レベルを一括して調整する第１の光可変減衰器と、
制御信号にもとづいて、波長多重後のＡｄｄ光の光レベルを一括して調整する第２の光可変減衰器と、
前記第１の光可変減衰器及び前記第２の光可変減衰器から出力された後の光信号を合波する光合波部と、
前記第１の光可変減衰器及び前記第２の光可変減衰器から出力される光信号をモニタする光モニタ部と、
モニタ結果にもとづいて、前記ポストアンプの入力レベル範囲内で、かつ各波長の光レベルがすべて同一値となるように、前記制御信号を生成して、前記第１の光可変減衰器及び前記第２の光可変減衰器の光レベルの調整制御を行う光レベル調整制御部と、
を有することを特徴とする光伝送装置。
【請求項２】
前記光モニタ部は、前記第１の光可変減衰器の出力をモニタする第１のモニタ部と、前記第２の光可変減衰器の出力をモニタする第２のモニタ部と、から構成されることを特徴とする請求項１記載の光伝送装置。
【請求項３】
前記光レベル調整制御部は、前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、前記第１のモニタ部によるモニタ値が、算出したＴｈｒｕ光の上限値と下限値の範囲内に収まるように、かつ前記第２のモニタ部によるモニタ値が、算出したＡｄｄ光の上限値と下限値の範囲内に収まるように、光レベルの調整制御を行うことを特徴とする請求項２記載の光伝送装置。
【請求項４】
前記光モニタ部は、前記光合波部の出力をモニタすることを特徴とする請求項１記載の光伝送装置。
【請求項５】
前記光レベル調整制御部は、前記第１の光可変減衰器または前記第２の光可変減衰器のいずれか一方の減衰制御幅を固定値とし、他方の減衰制御幅をＴｈｒｕ光とＡｄｄ光それぞれの波長数比から決定して、前記光モニタ部のモニタ値が、前記ポストアンプで規定された光レベルの上限値と下限値の範囲内に収まるように、双方の減衰制御幅を動かして、光レベルの調整制御を行うことを特徴とする請求項４記載の光伝送装置。
【発明の詳細な説明】
【０００１】
【発明の属する技術分野】
本発明は、光伝送装置に関し、特にＷＤＭ（Ｗａｖｅｌｅｎｇｔｈ  Ｄｉｖｉｓｉｏｎ  Ｍｕｌｔｉｐｌｅｘｉｎｇ）の光伝送を行う光伝送装置に関する。
【０００２】
【従来の技術】
光通信ネットワークは、情報通信ネットワークの基盤形成の核となるもので、一層のサービスの高度化、広域化が望まれており、情報化社会に向けて急速に開発が進んでいる。光伝送システムの中心技術としては、ＷＤＭ技術が広く用いられている。ＷＤＭは、波長の異なる光を多重して、１本の光ファイバで複数の信号を同時に伝送する方式である。
【０００３】
また、ＷＤＭ伝送を行うノード（装置）では、光信号を電気信号に変換せずに、特定の波長の光信号を分岐（Ｄｒｏｐ）したり、挿入（Ａｄｄ）したりするＯＡＤＭ（Ｏｐｔｉｃａｌ  Ａｄｄ  Ｄｒｏｐ  Ｍｕｌｔｉｐｌｅｘｅｒ）の制御が行われる。
【０００４】
図２１は従来のＷＤＭ装置の構成を示す図である。システムを構成する各中継局は、複数の装置で構成されている（例えば、Ｂ局ではＷＤＭ装置１１０−１、１１０−２、トランスポンダＴＰ）。
【０００５】
Ｂ局に対し、ＷＤＭ装置１１０−１は、プリアンプ１１１、ＤＭＵＸ１１２を含み、ＷＤＭ装置１１０−２は、光可変減衰器（ＶＡＴＴ：Ｖａｒｉａｂｌｅ  Ａｔｔｅｎｕａｔｏｒ）１１３−１〜１１３−ｎ、ＭＵＸ１１４、ポストアンプ１１５を含む。なお、Ａ局のＷＤＭ装置２１０−２内の構成要素については、ポストアンプ２１５のみ記載し、Ｃ局のＷＤＭ装置３１０−１内の構成要素についてはプリアンプ３１１のみ図示する。
【０００６】
隣り合ったＡ局、Ｂ局、Ｃ局において、Ａ局のＷＤＭ装置２１０−２内のポストアンプ（ＰｏｓｔＡｍｐ）２１５からＢ局へ出力された光信号は、光伝送路（光ファイバ）Ｆ１０により伝送され、Ｂ局のＷＤＭ装置１１０−１内のプリアンプ（ＰｒｅＡｍｐ）１１１に入力される。
【０００７】
プリアンプ１１１で増幅された光信号は、ＤＭＵＸ１１２で波長毎の光信号に分離され、ＴｈｒｕまたはＤｒｏｐされる。光伝送路Ｆ１１により伝送された光信号は、帯域変換を行うトランスポンダ（Ｔｒａｎｓｐｏｎｄｅｒ）ＴＰで波長変換された後、光伝送路Ｆ１２により、低速なネットワークへ伝送される（Ｄｒｏｐ）。
【０００８】
一方、光伝送路Ｆ１３により伝送された光信号は、ＷＤＭ装置１１０−２へ入力される（Ｔｈｒｕ）。また、光伝送路Ｆ１４により低速ネットワークから伝送されてきた光信号は、トランスポンダＴＰで波長変換された後、光伝送路Ｆ１５によりＷＤＭ装置１１０−２へ入力される（Ａｄｄ）。
【０００９】
Ｔｈｒｕされてきた波長とＡｄｄされてきた波長は、ＷＤＭ装置１１０−２内の光可変減衰器（ＶＡＴＴ：Ｖａｒｉａｂｌｅ  Ａｔｔｅｎｕａｔｏｒ）１１３−１〜１１３−ｎで波長毎にレベル調整され、ＭＵＸ１１４で波長多重される。そして、ポストアンプ１１５で増幅されて、光伝送路Ｆ１６によりＣ局のＷＤＭ装置３１０−１のプリアンプ３１１へ伝送される。
【００１０】
一般に、ＷＤＭ装置では、隣接局へ光信号を伝送する場合、光レベルがポストアンプで規定される入力範囲内であり、かつ各波長の光レベルが一定（λ１〜λｎの光レベルがすべて同じレベル値）となるようにポストアンプへ入力する必要がある。このため、図２１の場合では、ポストアンプ１１５で規定される入力範囲内で、かつ各波長の光レベルがすべて同一値となるように、ＶＡＴＴ１１３−１〜１１３−ｎを設けて、ＭＵＸ１１４で波長多重される前に、Ｔｈｒｕ光及びＡｄｄ光に対してレベル調整を行っている。
【００１１】
このようなＷＤＭ伝送のＯＡＤＭに関する従来技術としては、光送信器からの出力光を、通過光の光レベルと同等になるように光可変減衰器を設けて減衰量を調整する装置などが提案されている（例えば、特許文献１）。
【００１２】
【特許文献１】
特開２００１−１８６０８５号公報（段落番号〔０００８〕〜〔００１２〕，第１図）
【００１３】
【発明が解決しようとする課題】
しかし、図２１で上述した従来のＷＤＭ装置では、局内で経路選択（Ｔｈｒｕ／Ａｄｄ／Ｄｒｏｐ）を行う際に、ファイバの繋ぎ換えを行う必要があった。すなわち、光ファイバＦ１１、Ｆ１３、Ｆ１５の繋ぎ換えをオペレータが手操作で行う必要がある。このため、オペレータに多くの負担がかかると共に、人為的な接続ミスが発生するおそれがあるという問題があった。
【００１４】
また、完全に波長分離させた後のＴｈｒｕ光及びＡｄｄ光の全波長それぞれに対して、ＶＡＴＴ１１３−１〜１１３−ｎを設けて、レベル調整を行っているので、コストがかかり装置規模も増大してしまうといった問題があった。
【００１５】
さらに、図２１に示したＷＤＭ装置及び従来技術（特開２００１−１８６０８５号公報）共に、ＶＡＴＴによる光レベルを調整する際には、一旦ファイバを断にし、スペクトルアナライザを接続して、個々のＶＡＴＴの調節を行っていた。このように、人手による光レベル調整を行っていたために、非常に効率が悪く、利便性に欠けており、信頼性や品質の確保が困難であった。
【００１６】
本発明はこのような点に鑑みてなされたものであり、高品質な光レベル調整制御を自動的に行って、装置規模を削減し、光伝送の品質及び信頼性の向上を図った光伝送装置を提供することを目的とする。
【００１７】
【課題を解決するための手段】
本発明では上記課題を解決するために、図１に示すような、ＷＤＭの光伝送を行う光伝送装置１０において、前局からの光信号を受信し増幅するプリアンプ１１と、合波された光信号を増幅し、次局へ送信するポストアンプ１２と、プリアンプ１１で増幅後の光信号を、Ｔｈｒｕ光とＤｒｏｐ光とに分岐する光分岐部１３と、制御信号にもとづいて、波長多重されているＴｈｒｕ光の光レベルを一括して調整する第１の光可変減衰器１４と、制御信号にもとづいて、波長多重後のＡｄｄ光の光レベルを一括して調整する第２の光可変減衰器１５と、第１の光可変減衰器１４及び第２の光可変減衰器１５から出力される光信号を合波する光合波部１６と、第１の光可変減衰器１４及び第２の光可変減衰器１５から出力された後の光信号をモニタする光モニタ部１７と、モニタ結果にもとづいて、ポストアンプ１２の入力レベル範囲内で、かつ各波長の光レベルがすべて同一値となるように、制御信号を生成して、第１の光可変減衰器１４及び第２の光可変減衰器１５の光レベルの調整制御を行う光レベル調整制御部１８と、を有することを特徴とする光伝送装置１０が提供される。
【００１８】
ここで、プリアンプ１１は、前局からの光信号を受信し増幅する。ポストアンプ１２は、合波された光信号を増幅し、次局へ送信する。光分岐部１３は、プリアンプ１１で増幅後の光信号を、Ｔｈｒｕ光とＤｒｏｐ光とに分岐する。第１の光可変減衰器１４は、制御信号にもとづいて、波長多重されているＴｈｒｕ光の光レベルを一括して調整する。第２の光可変減衰器１５は、制御信号にもとづいて、波長多重後のＡｄｄ光の光レベルを一括して調整する。光合波部１６は、第１の光可変減衰器１４及び第２の光可変減衰器１５から出力された後の光信号を合波する。光モニタ部１７は、第１の光可変減衰器１４及び第２の光可変減衰器１５から出力される光信号をモニタする。光レベル調整制御部１８は、モニタ結果にもとづいて、ポストアンプ１２の入力レベル範囲内で、かつ各波長の光レベルがすべて同一値となるように、制御信号を生成して、第１の光可変減衰器１４及び第２の光可変減衰器１５の光レベルの調整制御を行う。
【００１９】
【発明の実施の形態】
以下、本発明の実施の形態を図面を参照して説明する。図１は本発明の光伝送装置の原理図である。光伝送装置１０は、ＷＤＭの光伝送を行う装置である。
【００２０】
プリアンプ１１は、前局からの光信号（ＷＤＭ信号）を受信し増幅する。ポストアンプ１２は、光合波部１６で合波された光信号（ＷＤＭ信号）を増幅し、次局へ送信する。
【００２１】
光分岐部１３は、光カプラ１３ａ、ＤＭＵＸ１３ｂから構成される。光カプラ１３ａは、プリアンプ１１で増幅後の光信号を、Ｔｈｒｕ光とＤｒｏｐ光とに分岐する。ＤＭＵＸ１３ｂは、Ｄｒｏｐ光を波長分離し、低速ネットワーク側へ送出する。
【００２２】
第１の光可変減衰器１４（以下、ＶＡＴＴ１４）は、光レベル調整制御部１８からの制御信号にもとづいて、前局で波長多重されているＴｈｒｕ光の光レベルを一括して調整する。ＭＵＸ１９は、低速ネットワークからのＡｄｄ光を波長多重する。第２の光可変減衰器１５（以下、ＶＡＴＴ１５）は、光レベル調整制御部１８からの制御信号にもとづいて、ＭＵＸ１９で波長多重された後のＡｄｄ光の光レベルを一括して調整する。
【００２３】
光合波部（光カプラ）１６は、ＶＡＴＴ１４及びＶＡＴＴ１５から出力される光信号を合波する。光モニタ部１７は、ＶＡＴＴ１４及びＶＡＴＴ１５から出力された後の光信号をモニタする。
【００２４】
光レベル調整制御部１８は、モニタ結果にもとづいて、ポストアンプ１２の入力レベル範囲内で、かつ各波長の光レベルがすべて同一値となるように、上記の制御信号を生成して、ＶＡＴＴ１４及びＶＡＴＴ１５の光レベルの調整制御を行う。また、光レベル調整制御部１８は、オペレータからの設定情報にもとづき、光レベル調整制御を自動的に行う。また、後述するアラーム情報をオペレータへ通知する。
【００２５】
次に本発明の光伝送装置１０の構成及び動作について詳しく説明する。図２は光伝送装置１０の第１の実施の形態の構成を示す図である。システムを構成する各中継局は、本発明の光伝送装置と、トランスポンダとで構成される。例えば、Ｂ局は光伝送装置１０−１、トランスポンダＴＰで構成される（Ａ局とＣ局のトランスポンダの図示は省略）。
【００２６】
Ｂ局に対し、光伝送装置１０−１は、プリアンプ１１、ポストアンプ１２、光カプラ１３ａ、ＤＭＵＸ１３ｂ、ＶＡＴＴ１４、ＶＡＴＴ１５、光合波部１６、ＰＤ（Ｐｈｏｔｏ  Ｄｉｏｄｅ）１７ａ、１７ｂ、ＮＥＭ（Ｎｅｔｗｏｒｋ  Ｅｌｅｍｅｎｔ  Ｍａｎａｇｅｍｅｎｔ）１８ａ、ＭＵＸ１９から構成される。ＰＤ１７ａ、１７ｂは、光モニタ部１７に該当し、光／電気変換を行う受光素子である。また、ＮＥＭ１８ａは、光レベル調整制御部１８の機能を含み、また、光伝送装置１０−１の全体制御を行う。
【００２７】
なお、Ａ局の光伝送装置２０−１内の構成要素については、ポストアンプ２２のみ記載し、Ｃ局の光伝送装置３０−１内の構成要素についてはプリアンプ３１のみ図示する。
【００２８】
隣り合ったＡ局、Ｂ局、Ｃ局において、Ａ局の光伝送装置２０−１内のポストアンプ２２からＢ局へ出力された光信号は、光伝送路（光ファイバ）Ｆ１により伝送され、Ｂ局の光伝送装置１０−１内のプリアンプ１１に入力される。
【００２９】
プリアンプ１１は、光信号を増幅し、光カプラ１３ａは、増幅された光信号をＴｈｒｕ光とＤｒｏｐ光とに分岐する。ＤＭＵＸ１３ｂは、Ｄｒｏｐ光を波長分離し、光伝送路Ｆ２によりトランスポンダＴＰへ送出する。光伝送路Ｆ２により伝送された光信号は、帯域変換を行うトランスポンダＴＰで波長変換された後、光伝送路Ｆ３により、低速なネットワークへ伝送される。
【００３０】
また、光伝送路Ｆ４により低速ネットワークから伝送されてきた光信号は、トランスポンダＴＰで波長変換された後、光伝送路Ｆ５により光伝送装置１１０−１へ入力される。ＭＵＸ１９は、トランスポンダＴＰから出力されたＡｄｄ光を波長多重する。
【００３１】
一方、ＶＡＴＴ１４は、Ｔｈｒｕ光を制御信号にもとづいて、光レベル調整を行う。ＶＡＴＴ１５は、Ａｄｄ光を制御信号にもとづいて、光レベル調整を行う。光合波部１６は、光レベル調整後のＴｈｒｕ光とＡｄｄ光を合波する。ポストアンプ１２は、合波された光信号を増幅する。そして、増幅された光信号は、光伝送路Ｆ６によりＣ局の光伝送装置３０−１のプリアンプ３１へ伝送される。
【００３２】
一方、ＰＤ１７ａは、ＶＡＴＴ１４の出力信号（位置Ｐ１）の光レベルをモニタし、モニタ結果をＮＥＭ１８ａへ送信する。ＰＤ１７ｂは、ＶＡＴＴ１５の出力信号（位置Ｐ２）の光レベルをモニタし、モニタ結果をＮＥＭ１８ａへ送信する。ＮＥＭ１８ａは、モニタ結果にもとづき、ＶＡＴＴ１４、１５へ制御信号を送出して光レベル調整制御を行う。
【００３３】
次に第１の実施の形態である光伝送装置１０−１における光レベル調整制御について説明する。ここでの光レベル調整制御としては、ポストアンプ１２の光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出する。
【００３４】
そして、ＰＤ１７ａによるモニタ値が、算出したＴｈｒｕ光の上限値と下限値の範囲内に収まるように、かつＰＤ１７ｂによるモニタ値が、算出したＡｄｄ光の上限値と下限値の範囲内に収まるように、光レベルの調整制御を行う。
【００３５】
具体例で説明する。最初に、初期条件として、ポストアンプ１２に入力される光レベルの上限値を１００（ｄＢｍ）、ポストアンプ１２に入力される光レベルの下限値を８０（ｄＢｍ）とし、Ｔｈｒｕ光の波長数を１５、Ａｄｄ光の波長数を５とする。なお、上限値、下限値及びモニタ値の単位はｄＢｍであり、以降の説明では単位の表記は省略する。
【００３６】
まず、ポストアンプ１２の入力上限値が１００、Ｔｈｒｕ光の波長数が１５、Ａｄｄ光の波長数が５であるため、Ｔｈｒｕ光の上限値＝１００＊（１５／（１５＋５））＝７５となり、この値は図２のＰ１における上限値となる。また、Ａｄｄ光の上限値＝１００＊（５／（１５＋５））＝２５となり、この値は図２のＰ２における上限値となる。
【００３７】
同様に下限値については、Ｔｈｒｕ光の下限値＝８０＊（１５／（１５＋５））＝６０となり、この値はＰ１における下限値となる。また、Ａｄｄ光の下限値＝８０＊（５／（１５＋５））＝２０となり、この値はＰ２における下限値となる。
【００３８】
そして、ＮＥＭ１８ａでは、ＰＤ１７ａからの光レベルモニタ値Ｍ１を取得し、このモニタ値が６０≦Ｍ１≦７５になるようにＶＡＴＴ１４に対して制御信号を送出して調節する。同様に、ＰＤ１７ｂからの光レベルモニタ値Ｍ２を取得し、このモニタ値が２０≦Ｍ２≦２５になるようにＶＡＴＴ１５対して制御信号を送出して調節する。
【００３９】
このような光レベル調整制御を行うことで、光合波部１６で合波される光信号を、ポストアンプ１２で規定される入力範囲内であり、かつ各波長の光レベルをすべて同一値となるようにすることができる。また、前局からの光信号を受光する装置と次局へ光信号を送信する装置とを一体化したので、装置構成が簡略化し、ファイバ接続数が減少する。このため、オペレータの作業負担が軽減され、人為的な接続ミスを減少させることができる。
【００４０】
次に光伝送装置１０−１における光レベル調整制御について詳細なフローチャートを用いて説明する。図３〜図７は第１の実施の形態の光レベル調整制御のフローチャートを示す図である。なお、各ステップの動作はすべてＮＥＭ１８ａ（光レベル調整制御部１８）の動作である。
〔Ｓ１〕光合波部１６に入るＴｈｒｕ光の波長数、または光合波部１６に入るＡｄｄ光の波長数に変更があったか否かを判断する。変更があればステップＳ２へなければステップＳ６へいく。
〔Ｓ２〕ポストアンプ１２で規定されている入力レベル上限値（Ｐａｍｐ ｈｉｇｈ）と入力レベル下限値（Ｐａｍｐ ｌｏｗ）を取得する。
〔Ｓ３〕ポストアンプ１２で規定されている入力レベル上限値のマージン（Ｐａｍｐ ｈｉｇｈ ｏｆｆｓｅｔ）と入力レベル下限値のマージン（Ｐａｍｐ ｌｏｗ ｏｆｆｓｅｔ）を取得する。なお、入力レベル上限値のマージンとは、ポストアンプ１２が動作可能な入力光の上限値に対して、どれだけ余力を持たせて動作をさせるかのオフセット値のことである。同様に、入力レベル下限値のマージンとは、ポストアンプ１２が動作可能な入力光の下限値に対して、どれだけ余力を持たせて動作をさせるかのオフセット値のことである。
〔Ｓ４〕光合波部１６による合波後、光レベル上限値Ｐａｌｌ ｈｉｇｈと光レベル下限値Ｐａｌｌ ｌｏｗそれぞれを算出する。上限値Ｐａｌｌ ｈｉｇｈと下限値Ｐａｌｌ ｌｏｗは、以下の式で算出する。
【００４１】
【数１】
Ｐａｌｌ ｈｉｇｈ＝（Ｐａｍｐ ｈｉｇｈ）−（Ｐａｍｐ ｈｉｇｈ ｏｆｆｓｅｔ）        （１ａ）
Ｐａｌｌ ｌｏｗ＝（Ｐａｍｐ ｌｏｗ）−（Ｐａｍｐ ｌｏｗ ｏｆｆｓｅｔ）          （１ｂ）
例えば、入力レベル上限値（Ｐａｍｐ ｈｉｇｈ）が１００で、マージン（Ｐａｍｐ ｈｉｇｈ ｏｆｆｓｅｔ）が＋５の場合は、実質的な光レベル上限値（Ｐａｌｌ ｈｉｇｈ）は９５となる。また、入力レベル下限値（Ｐａｍｐ ｌｏｗ）が６０で、マージン（Ｐａｍｐ ｌｏｗ ｏｆｆｓｅｔ）が−５の場合は、実質的な光レベル下限値（Ｐａｌｌ ｌｏｗ）は６５となる。すなわち、初期条件であるポストアンプ１２の上限・下限範囲が６０〜１００→６５〜９５となる。
〔Ｓ５〕Ｔｈｒｕ光とＡｄｄ光の波長数比により、Ｔｈｒｕ光の上限値（Ｐｔｈｒｕｈｉｇｈ）と下限値（Ｐｔｈｒｕ ｌｏｗ）を以下の式（２ａ）、（２ｂ）で算出し、Ａｄｄ光の上限値（Ｐａｄｄ ｈｉｇｈ）と下限値（Ｐａｄｄ ｌｏｗ）を以下の式（２ｃ）、（２ｄ）で算出する。ただし、Ｗｎｏ ｔｈｒｕは、光合波部１６に入るＴｈｒｕ光の波長数、Ｗｎｏ ａｄｄは、光合波部１６に入るＡｄｄ光の波長数であり、Ｗｎｏ ａｌｌは、光合波部１６で合波された波長数（Ｗｎｏ ｔｈｒｕ＋Ｗｎｏ ａｄｄ）である。
【００４２】
【数２】
Ｐｔｈｒｕ ｈｉｇｈ＝Ｐａｌｌ ｈｉｇｈ＋１０・ｌｏｇ（Ｗｎｏ ｔｈｒｕ／Ｗｎｏ ａｌｌ）（２ａ）
Ｐｔｈｒｕ ｌｏｗ＝Ｐａｌｌ ｌｏｗ＋１０・ｌｏｇ（Ｗｎｏ ｔｈｒｕ／Ｗｎｏ ａｌｌ）（２ｂ）
Ｐａｄｄ ｈｉｇｈ＝Ｐａｌｌ ｈｉｇｈ＋１０・ｌｏｇ（Ｗｎｏ ａｄｄ／Ｗｎｏ ａｌｌ）（２ｃ）
Ｐａｄｄ ｌｏｗ＝Ｐａｌｌ ｌｏｗ＋１０・ｌｏｇ（Ｗｎｏ ａｄｄ／Ｗｎｏ ａｌｌ）（２ｄ）
〔Ｓ６〕ＰＤ１７ａのモニタ値ＰＤ１ＭＯＮと、ＰＤ１７ｂのモニタ値ＰＤ２ＭＯＮとを取得する。
〔Ｓ７〕ＰＤ１ＭＯＮとＰｔｈｒｕ ｈｉｇｈを比較する。ＰＤ１ＭＯＮ＞Ｐｔｈｒｕ ｈｉｇｈならばステップＳ８へ、ＰＤ１ＭＯＮ≦Ｐｔｈｒｕ ｈｉｇｈならばステップＳ１３へいく。すなわち、Ｔｈｒｕ光のパワーが上限値を超えている場合はステップＳ８へ、超えていない場合はステップＳ１３へいく。
〔Ｓ８〕現在の減衰設定値（Ｘｖａｔｔ１）とＶＡＴＴ１４の最大減衰度（Ｘｖａｔｔ１ｍａｘ）を比較する。Ｘｖａｔｔ１＞Ｘｖａｔｔ１ｍａｘならばステップＳ９へ、Ｘｖａｔｔ１≦Ｘｖａｔｔ１ｍａｘならばステップＳ１０へいく。すなわち、制御可能な減衰度を超えてしまう場合にはステップＳ９へ、制御範囲内ならばステップＳ１０へいく。
〔Ｓ９〕ＶＡＴＴ１４の上限アラームを発出する。
〔Ｓ１０〕ＶＡＴＴ１４の上限アラームを消失する（アラーム回復を通知）。
〔Ｓ１１〕Ｘｖａｔｔ１＝Ｘｖａｔｔ１＋Δにして減衰度を上げる。Δは単位ステップ当たりの減衰制御幅（きざみ幅）である。
〔Ｓ１２〕ＰＤ１ＭＯＮを取得し、ステップＳ７へ戻る。
〔Ｓ１３〕ＰＤ１ＭＯＮとＰｔｈｒｕ ｌｏｗを比較する。Ｐｔｈｒｕ ｌｏｗ＞ＰＤ１ＭＯＮならばステップＳ１４へ、Ｐｔｈｒｕ ｌｏｗ≦ＰＤ１ＭＯＮならばステップＳ１９へいく。すなわち、Ｔｈｒｕ光のパワーが下限値を下回る場合はステップＳ１４へ、下回らない場合はステップＳ１９へいく。
〔Ｓ１４〕減衰設定値（Ｘｖａｔｔ１）とＶＡＴＴ１４の最小減衰度（Ｘｖａｔｔ１ｍｉｎ）を比較する。Ｘｖａｔｔ１ｍｉｎ＞Ｘｖａｔｔ１ならばステップＳ１５へ、Ｘｖａｔｔ１ｍｉｎ≦Ｘｖａｔｔ１ならばステップＳ１６へいく。すなわち、制御可能な減衰度より下回る場合にはステップＳ１５へ、制御範囲内ならばステップＳ１６へいく。
〔Ｓ１５〕ＶＡＴＴ１４の下限アラームを発出する。
〔Ｓ１６〕ＶＡＴＴ１４の下限アラームを消失する（アラーム回復の通知）。
〔Ｓ１７〕Ｘｖａｔｔ１＝Ｘｖａｔｔ１―Δにして減衰度を緩める。
〔Ｓ１８〕ＰＤ１ＭＯＮを取得し、ステップＳ１３へ戻る。
〔Ｓ１９〕ＰＤ２ＭＯＮとＰａｄｄ ｈｉｇｈを比較する。ＰＤ２ＭＯＮ＞Ｐａｄｄ ｈｉｇｈならばステップＳ２０へ、ＰＤ２ＭＯＮ≦Ｐａｄｄ ｈｉｇｈならばステップＳ２５へいく。すなわち、Ａｄｄ光のパワーが上限値を超えている場合はステップＳ２０へ、超えていない場合はステップＳ２５へいく。
〔Ｓ２０〕減衰設定値（Ｘｖａｔｔ２）とＶＡＴＴ１５の最大減衰度（Ｘｖａｔｔ２ｍａｘ）を比較する。Ｘｖａｔｔ２＞Ｘｖａｔｔ２ｍａｘならばステップＳ２１へ、Ｘｖａｔｔ２≦Ｘｖａｔｔ２ｍａｘならばステップＳ２２へいく。すなわち、制御可能な減衰度を超えてしまう場合にはステップＳ２１へ、制御範囲内ならばステップＳ２２へいく。
〔Ｓ２１〕ＶＡＴＴ１５の上限アラームを発出する。
〔Ｓ２２〕ＶＡＴＴ１５の上限アラームを消失する（アラーム回復の通知）。
〔Ｓ２３〕Ｘｖａｔｔ２＝Ｘｖａｔｔ２＋Δにして減衰度を上げる。
〔Ｓ２４〕ＰＤ２ＭＯＮを取得し、ステップＳ１９へ戻る。
〔Ｓ２５〕ＰＤ２ＭＯＮとＰａｄｄ ｌｏｗを比較する。Ｐａｄｄ ｌｏｗ≦ＰＤ２ＭＯＮならばステップＳ１へ戻り、Ｐａｄｄ ｌｏｗ＞ＰＤ２ＭＯＮならばステップＳ２６へいく。すなわち、Ａｄｄ光のパワーが下限値を下回らない場合はステップＳ１へ、下回る場合はステップＳ２６へいく。
〔Ｓ２６〕減衰設定値（Ｘｖａｔｔ２）とＶＡＴＴ１５の最小減衰度（Ｘｖａｔｔ２ｍｉｎ）を比較する。Ｘｖａｔｔ２ｍｉｎ＞Ｘｖａｔｔ２ならばステップＳ２７へ、Ｘｖａｔｔ２ｍｉｎ≦Ｘｖａｔｔ２ならばステップＳ２８へいく。すなわち、制御可能な減衰度より下回る場合にはステップＳ２７へ、制御範囲内ならばステップＳ２８へいく。
〔Ｓ２７〕ＶＡＴＴ１５の下限アラームを発出する。
〔Ｓ２８〕ＶＡＴＴ１５の下限アラームを消失する（アラーム回復の通知）。
〔Ｓ２９〕Ｘｖａｔｔ２＝Ｘｖａｔｔ２―Δにして減衰度を緩める。
〔Ｓ３０〕ＰＤ２ＭＯＮを取得し、ステップＳ２５へ戻る。
【００４３】
次に第２の実施の形態の光伝送装置の構成及び動作について詳しく説明する。図８は光伝送装置１０の第２の実施の形態の構成を示す図である。図２で上述した光伝送装置１０−１では、ＰＤ１７ａ、１７ｂそれぞれをＶＡＴＴ１４、１５の出力段において光パワーをモニタする構成としたが、第２の実施の形態の光伝送装置１０−２では、ＰＤ１７ｃを光合波部１６の出力段に設けて、合波された光信号のパワーをモニタする。第１の実施の形態の構成と異なる点はこの部分だけであるので、その他の構成説明は省略する。
【００４４】
次に第２の実施の形態の光伝送装置１０−２における光レベル調整制御について説明する。ここでの光レベル調整制御としては、ＶＡＴＴ１４またはＶＡＴＴ１５のいずれか一方の減衰制御幅を固定値とし、他方の減衰制御幅をＴｈｒｕ光とＡｄｄ光それぞれの波長数比から決定する。
【００４５】
そして、ＰＤ１７ｃのモニタ値が、ポストアンプ１２で規定された光レベルの上限値と下限値の範囲内に収まるように、双方の減衰制御幅（固定値の減衰制御幅と波長数比から算出した減衰制御幅）を動かして、光レベルの調整制御を行う。
【００４６】
具体例で説明する。最初に初期条件として、ポストアンプ１２に入力される光レベルの上限値を１００、ポストアンプ１２に入力される光レベルの下限値を８０とし、Ｔｈｒｕ光の波長数を１５、Ａｄｄ光の波長数を５とする。
【００４７】
ＶＡＴＴ１４の減衰度を強弱する際の減衰制御幅をΔａ、ＶＡＴＴ１５の減衰度を強弱する際の減衰制御幅をΔｂとし、Δａを固定値（＝１）、Δｂを波長数比（５／１５＝１／３）として、Δａ：Δｂ＝１：１／３の比率で減衰度を制御する。例えば、ＶＡＴＴ１４の１回の調整操作で２制御幅を動かすならば、ＶＡＴＴ１５の１回の調整操作では２／３（＝２×（１／３））制御幅を動かすことになる。
【００４８】
そして、ＮＥＭ１８ａでは、ＰＤ１７ｃからの光レベルモニタ値Ｍ３を取得し、モニタ値Ｍ３が８０≦Ｍ３≦１００になるように、制御信号を送出してＶＡＴＴ１４に対してΔａ、ＶＡＴＴ１５に対してΔｂだけ調整する。このような光レベル調整制御を行うことで、光合波部１６で合波される光信号を、ポストアンプ１２で規定される入力範囲内であり、かつ各波長の光レベルを一定となるようにすることができる。
【００４９】
次に光伝送装置１０−２における光レベル調整制御について詳細なフローチャートを用いて説明する。図９〜図１１は第２の実施の形態の光レベル調整制御のフローチャートを示す図である。なお、各ステップの動作はすべてＮＥＭ１８ａ（光レベル調整制御部１８）の動作である。
〔Ｓ４１〕光合波部１６に入るＴｈｒｕ光の波長数、または光合波部１６に入るＡｄｄ光の波長数に変更があったか否かを判断する。変更があればステップＳ４２へ、なければステップＳ４６へいく。
〔Ｓ４２〕ポストアンプ１２で規定されている入力レベル上限値（Ｐａｍｐ ｈｉｇｈ）と入力レベル下限値（Ｐａｍｐ ｌｏｗ）を取得する。
〔Ｓ４３〕ポストアンプ１２で規定されている入力レベル上限値のマージン（Ｐａｍｐ ｈｉｇｈ ｏｆｆｓｅｔ）と入力レベル下限値のマージン（Ｐａｍｐ ｌｏｗ ｏｆｆｓｅｔ）を取得する。
〔Ｓ４４〕光合波部１６による合波後、光レベル上限値Ｐａｌｌ ｈｉｇｈと光レベル下限値Ｐａｌｌ ｌｏｗそれぞれを上述の式（１ａ）、（１ｂ）から算出する。
〔Ｓ４５〕Ｔｈｒｕ光とＡｄｄ光の波長数比により、ＶＡＴＴ１４の減衰制御幅Δａ、ＶＡＴＴ１５の減衰制御幅Δｂを求める（例えば、Δａは固定値、Δｂは波長数比から求めた値）。
〔Ｓ４６〕ＰＤ１７ｃのモニタ値ＰＤ３ＭＯＮを取得する。
〔Ｓ４７〕ＰＤ３ＭＯＮとＰａｌｌ ｈｉｇｈを比較する。ＰＤ３ＭＯＮ＞Ｐａｌｌ ｈｉｇｈならばステップＳ４８へ、ＰＤ３ＭＯＮ≦Ｐａｌｌ ｈｉｇｈならばステップＳ５７へいく。すなわち、合波後の光のパワーが上限値を超えている場合はステップＳ４８へ、超えていない場合はステップＳ５７へいく。
〔Ｓ４８〕ＶＡＴＴ１４の減衰設定値（Ｘｖａｔｔ１）とＶＡＴＴ１４の最大減衰度（Ｘｖａｔｔ１ｍａｘ）を比較する。Ｘｖａｔｔ１＞Ｘｖａｔｔ１ｍａｘならばステップＳ４９へ、Ｘｖａｔｔ１≦Ｘｖａｔｔ１ｍａｘならばステップＳ５０へいく。すなわち、制御可能な減衰度を超えてしまう場合にはステップＳ４９へ、制御範囲内ならばステップＳ５０へいく。
〔Ｓ４９〕ＶＡＴＴ１４の上限アラームを発出する。
〔Ｓ５０〕ＶＡＴＴ１４の上限アラームを消失する（アラーム回復の通知）。
〔Ｓ５１〕Ｘｖａｔｔ１＝Ｘｖａｔｔ１＋Δａにして減衰度を上げる。
〔Ｓ５２〕ＶＡＴＴ１５の減衰設定値（Ｘｖａｔｔ２）とＶＡＴＴ１５の最大減衰度（Ｘｖａｔｔ２ｍａｘ）を比較する。Ｘｖａｔｔ２＞Ｘｖａｔｔ２ｍａｘならばステップＳ５３へ、Ｘｖａｔｔ２≦Ｘｖａｔｔ２ｍａｘならばステップＳ５４へいく。すなわち、制御可能な減衰度を超えてしまう場合にはステップＳ５３へ、制御範囲内ならばステップＳ５４へいく。
〔Ｓ５３〕ＶＡＴＴ１５の上限アラームを発出する。
〔Ｓ５４〕ＶＡＴＴ１５の上限アラームを消失する（アラーム回復の通知）。
〔Ｓ５５〕Ｘｖａｔｔ２＝Ｘｖａｔｔ２＋Δｂにして減衰度を上げる。
〔Ｓ５６〕ＰＤ３ＭＯＮを取得し、ステップＳ４７へ戻る。
〔Ｓ５７〕ＰＤ３ＭＯＮとＰａｌｌ ｌｏｗを比較する。Ｐａｌｌ ｌｏｗ＞ＰＤ３ＭＯＮならばステップＳ５８へ、Ｐａｌｌ ｌｏｗ≦ＰＤ３ＭＯＮならばステップＳ４１へ戻る。すなわち、合波後の光のパワーが下限値を下回る場合はステップＳ５８へ、下回っていない場合はステップＳ４１へいく。
〔Ｓ５８〕ＶＡＴＴ１４の減衰設定値（Ｘｖａｔｔ１）とＶＡＴＴ１４の最小減衰度（Ｘｖａｔｔ１ｍｉｎ）を比較する。Ｘｖａｔｔ１ｍｉｎ＞Ｘｖａｔｔ１ならばステップＳ５９へ、Ｘｖａｔｔ１ｍｉｎ≦Ｘｖａｔｔ１ならばステップＳ６０へいく。すなわち、制御可能な減衰度より下回る場合にはステップＳ５９へ、制御範囲内ならばステップＳ６０へいく。
〔Ｓ５９〕ＶＡＴＴ１４の下限アラームを発出する。
〔Ｓ６０〕ＶＡＴＴ１４の下限アラームを消失する（アラーム回復の通知）。
〔Ｓ６１〕Ｘｖａｔｔ１＝Ｘｖａｔｔ１―Δａにして減衰度を緩める。
〔Ｓ６２〕ＶＡＴＴ１５の減衰設定値（Ｘｖａｔｔ２）とＶＡＴＴ１５の最小減衰度（Ｘｖａｔｔ２ｍｉｎ）を比較する。Ｘｖａｔｔ２ｍｉｎ＞Ｘｖａｔｔ２ならばステップＳ６３へ、Ｘｖａｔｔ２ｍｉｎ≦Ｘｖａｔｔ２ならばステップＳ６４へいく。すなわち、制御可能な減衰度より下回る場合にはステップＳ６３へ、制御範囲内ならばステップＳ６４へいく。
〔Ｓ６３〕ＶＡＴＴ１５の下限アラームを発出する。
〔Ｓ６４〕ＶＡＴＴ１５の下限アラームを消失する（アラーム回復の通知）。
〔Ｓ６５〕Ｘｖａｔｔ２＝Ｘｖａｔｔ２―Δｂにして減衰度を緩める。
〔Ｓ６６〕ＰＤ３ＭＯＮを取得し、ステップＳ５７へ戻る。
【００５０】
次に図１で上述した光伝送装置１０とは原理構成が異なる本発明の他の光伝送装置について説明する。図１２は本発明の光伝送装置の原理図である。図１で上述した光伝送装置１０では、光カプラ１３ａからＴｈｒｕ光が出力される出力段にＶＡＴＴ１４を設け、ＶＡＴＴ１５をＭＵＸ１９の出力段に設けて、ＶＡＴＴ１４、１５から出力された後の光信号のパワーをモニタして、光レベル調整制御を行った。
【００５１】
一方、図１２に示す光伝送装置１０ａでは、ＶＡＴＴ１４は図１と同じ位置に設置してあるが、ＶＡＴＴ１５に対しては、ＭＵＸ１９の入力段に波長数分のＶＡＴＴ１５−１〜１５−ｎを設ける。そして、ＶＡＴＴ１４、ＶＡＴＴ１５−１〜１５−ｎから出力された後の光信号のパワーをモニタして光レベル調整制御を行うものである。光伝送装置１０と異なる原理ブロックはこの部分だけであるので、それ以外の原理ブロックの説明は省略する。
【００５２】
次に光伝送装置１０ａの構成及び動作について詳しく説明する。図１３は光伝送装置１０ａの第１の実施の形態の構成を示す図である。システムを構成する各中継局は、本発明の光伝送装置と、トランスポンダとで構成される。例えば、Ｂ局は光伝送装置１０ａ−１、トランスポンダＴＰで構成される（Ａ局とＣ局のトランスポンダの図示は省略）。
【００５３】
Ｂ局に対し、光伝送装置１０ａ−１は、プリアンプ１１、ポストアンプ１２、光カプラ１３ａ、ＤＭＵＸ１３ｂ、ＶＡＴＴ１４、ＶＡＴＴ１５−１〜１５−ｎ、光合波部１６、ＰＤ１７ｄ、ＰＤ１７ｅ−１〜１７ｅ−ｎ、ＮＥＭ１８ｂ、ＭＵＸ１９から構成される。ＰＤ１７ｄ、１７ｅ−１〜１７ｅ−ｎは、光モニタ部１７に該当し、光／電気変換を行う受光素子である。また、ＮＥＭ１８ｂは、光レベル調整制御部１８の機能を含み、また、光伝送装置１０ａ−１の全体制御を行う。
【００５４】
なお、Ａ局の光伝送装置２０ａ−１内の構成要素については、ポストアンプ２２のみ記載し、Ｃ局の光伝送装置３０ａ−１内の構成要素についてはプリアンプ３１のみ図示する。
【００５５】
隣り合ったＡ局、Ｂ局、Ｃ局において、Ａ局の光伝送装置２０ａ−１内のポストアンプ２２からＢ局へ出力された光信号は、光伝送路（光ファイバ）Ｆ１により伝送され、Ｂ局の光伝送装置１０ａ−１内のプリアンプ１１に入力される。
【００５６】
プリアンプ１１は、光信号を増幅し、光カプラ１３ａは、増幅された光信号をＴｈｒｕ光とＤｒｏｐ光とに分岐する。ＤＭＵＸ１３ｂは、Ｄｒｏｐ光を波長分離し、光伝送路Ｆ２によりトランスポンダＴＰへ送出する。光伝送路Ｆ２により伝送された光信号は、帯域変換を行うトランスポンダＴＰで波長変換された後、光伝送路Ｆ３により、低速なネットワークへ伝送される。
【００５７】
また、光伝送路Ｆ４により低速ネットワークから伝送されてきた光信号は、トランスポンダＴＰで波長変換された後、光伝送路Ｆ５により光伝送装置１０ａ−１へ入力される。
【００５８】
一方、ＶＡＴＴ１４は、制御信号にもとづいて、Ｔｈｒｕ光の光レベル調整を行う。ＶＡＴＴ１５−１〜１５−ｎは、制御信号にもとづいて、それぞれのＡｄｄ光を個別に光レベル調整を行う。ＭＵＸ１９は、ＶＡＴＴ１５−１〜１５−ｎから出力されたＡｄｄ光を波長多重する。光合波部１６は、光レベル調整後のＴｈｒｕ光とＡｄｄ光を合波する。ポストアンプ１２は、合波された光信号を増幅する。そして、増幅された光信号は、光伝送路Ｆ６によりＣ局の光伝送装置３０ａ−１のプリアンプ３１へ伝送される。
【００５９】
一方、ＰＤ１７ｄは、ＶＡＴＴ１４の出力信号の光レベルをモニタし、モニタ結果をＮＥＭ１８ｂへ送信する。ＰＤ１７ｅ−１〜１７−ｎは、ＶＡＴＴ１５−１〜１５−ｎの出力信号それぞれの光レベルをモニタし、モニタ結果をＮＥＭ１８ｂへ送信する。ＮＥＭ１８ｂは、モニタ結果にもとづき、ＶＡＴＴ１４、１５−１〜１５−ｎの光レベル調整制御を行う。
【００６０】
次に第１の実施の形態の光伝送装置１０ａ−１における光レベル調整制御について説明する。ここでの光レベル調整制御は、上述した光伝送装置１０−１の制御と同様である。すなわち、ポストアンプ１２の光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出する。
【００６１】
そして、ＰＤ１７ｄによるモニタ値が、算出したＴｈｒｕ光の上限値と下限値の範囲内に収まるように、かつＰＤ１７ｅ−１〜１７ｅ−ｎによるそれぞれのモニタ値が、算出したＡｄｄ光の上限値と下限値の範囲内に収まるように、光レベルの調整制御を行う。
【００６２】
具体例で説明する。最初に、初期条件として、ポストアンプ１２に入力される光レベルの上限値を１００、ポストアンプ１２に入力される光レベルの下限値を８０とし、Ｔｈｒｕ光の波長数を１５、Ａｄｄ光の波長数を５とする。
【００６３】
まず、ポストアンプ１２の入力上限値が１００、Ｔｈｒｕ光の波長数が１５、Ａｄｄ光の波長数が５であるため、Ｔｈｒｕ光の上限値＝１００＊（１５／（１５＋５））＝７５となり、この値は図１３のＰ４における上限値となる。また、Ａｄｄ光の上限値＝１００＊（１／（１５＋５））＝５となり、この値は図１３のＰ５−１〜Ｐ５−ｎにおける上限値となる。なお、１／（１５＋５）の分子の１とは、ＶＡＴＴ１７ｅ−１〜１７ｅ−ｎそれぞれに入力する１波のことである。
【００６４】
同様に下限値については、Ｔｈｒｕ光の下限値＝８０＊（１５／（１５＋５））＝６０となり、この値はＰ４における下限値となる。また、Ａｄｄ光の下限値＝８０＊（１／（１５＋５））＝４となり、この値はＰ５−１〜Ｐ５−ｎにおける下限値となる。
【００６５】
そして、ＮＥＭ１８ｂでは、ＰＤ１７ｄからの光レベルモニタ値Ｍ４を取得し、このモニタ値が６０≦Ｍ４≦７５になるようにＶＡＴＴ１４に対して制御信号を送出して調節する。同様に、ＰＤ１７ｅ−１〜１７ｅ−ｎの光レベルモニタ値Ｍ５−１、Ｍ５−ｎを取得し、このモニタ値が４≦Ｍ５−１、…Ｍ５−ｎ≦５になるようにＶＡＴＴ１５−１〜１５−ｎに対して制御信号を送出して調節する。
【００６６】
このような光レベル調整制御を行うことで、光合波部１６で合波される光信号を、ポストアンプ１２で規定される入力範囲内であり、かつ各波長の光レベルを一定となるようにすることができる。
【００６７】
なお、装置規模に関しては、光伝送装置１０ａ−１では、図２の光伝送装置１０−１と比べて、ＶＡＴＴ数及びＰＤ数は多くなるが、図２１で上述したような従来の装置よりも装置規模は縮小できる。
【００６８】
次に光伝送装置１０ａ−１における光レベル調整制御について詳細なフローチャートを用いて説明する。図１４〜図１６は第１の実施の形態の光レベル調整制御のフローチャートを示す図である。なお、各ステップの動作はすべてＮＥＭ１８ｂ（光レベル調整制御部１８）の動作である。ステップＳ７７〜ステップＳ８８はＶＡＴＴ１５−１〜ＶＡＴＴ１５−ｎ（総称する場合はＶＡＴＴ１５（ｎ）と記す）の光レベル調整制御であり（ｎ回繰り返す）、ステップＳ８９〜ステップＳ１００はＶＡＴＴ１４の光レベル調整制御である。また、以降のステップＳ７１〜ステップＳ１００までのすべての動作は、基本的には上述したステップＳ１〜ステップＳ３０と同じ動作である。
〔Ｓ７１〕ＰＤ１７ｄからＴｈｒｕ光のモニタ値を取得する。
〔Ｓ７２〕ＰＤ１７ｅ−１〜１７ｅ−ｎからＡｄｄ光のモニタ値を取得する。
〔Ｓ７３〕ポストアンプ１２で規定されている入力レベル上限値（Ｐｍａｘ）と入力レベル下限値（Ｐｍｉｎ）を取得する。
〔Ｓ７４〕ポストアンプ１２で規定されている入力レベル上限値のマージンと入力レベル下限値のマージンを取得する。ここでは、双方のマージンを共にαとする。
〔Ｓ７５〕実質的なポストアンプ１２の光レベル上限値（＝Ｐｍａｘ−α）と光レベル下限値（＝Ｐｍｉｎ＋α）を算出する。
〔Ｓ７６〕Ｔｈｒｕ光とＡｄｄ光の波長数比により、Ｔｈｒｕ光の上限値（Ｐｍａｘ  ｔｈｒｕ）と下限値（Ｐｍｉｎ  ｔｈｒｕ）を以下の式（３ａ）、（３ｂ）で算出し、Ａｄｄ光の上限値（Ｐｍａｘ  ａｄｄ）と下限値（Ｐｍｉｎ  ａｄｄ）を以下の式（３ｃ）、（３ｄ）で算出する。
【００６９】
【数３】
Ｐｍａｘ  ｔｈｒｕ＝（Ｗｎｏ ｔｈｒｕ／Ｗｎｏ ａｌｌ）・（Ｐｍａｘ−α）（３ａ）
Ｐｍｉｎ  ｔｈｒｕ＝（Ｗｎｏ ｔｈｒｕ／Ｗｎｏ ａｌｌ）・（Ｐｍｉｎ＋α）（３ｂ）
Ｐｍａｘ  ａｄｄ＝（１／Ｗｎｏ ａｌｌ）・（Ｐｍａｘ−α）（３ａ）
Ｐｍｉｎ  ａｄｄ＝（１／Ｗｎｏ ａｌｌ）・（Ｐｍｉｎ＋α）（３ｂ）
〔Ｓ７７〕ステップＳ７２で取得したＰＤ１７ｅ−１〜１７ｅ−ｎ（総称してＰＤ１７ｅ（ｎ）と記す）によるモニタ値は、ステップＳ７６で求めた下限値から上限値までの範囲以内か否かを判断する。下限値から上限値までの範囲より低い場合はステップＳ７７へ、高い場合はステップＳ８４へ、範囲以内ならステップＳ８９へいく。
〔Ｓ７８〕ＶＡＴＴ１５（ｎ）の減衰度がゼロか否かを判断する（ゼロならステップＳ７９へ、そうでなければステップＳ８０へいく。すなわち、まったく減衰させていない場合はステップＳ７９へ、減衰度が設定されている場合は、ステップＳ８０へいく。
〔Ｓ７９〕ＶＡＴＴ１５（ｎ）の下限アラームを発生する（これ以上、光レベルを上げられないので）。
〔Ｓ８０〕下限アラームが発生中か否かを判断する。発生中ならステップＳ８１へ、そうでなければステップＳ８２へいく。
〔Ｓ８１〕ＶＡＴＴ１５（ｎ）の下限アラームを回復する。
〔Ｓ８２〕ＶＡＴＴ１５（ｎ）の減衰を弱める（光レベルを上げる）。
〔Ｓ８３〕ＰＤ１７ｅ（ｎ）からモニタ値を取得する。そして、ステップＳ７７へ戻る。
〔Ｓ８４〕ＶＡＴＴ１５（ｎ）の減衰度が最大か否かを判断する。最大ならステップＳ８５へ、そうでなければステップＳ８６へいく。
〔Ｓ８５〕ＶＡＴＴ１５（ｎ）の上限アラームを発生する（これ以上、光レベルを下げられないので）。
〔Ｓ８６〕上限アラームが発生中か否かを判断する。発生中ならステップＳ８７へ、そうでなければステップＳ８８へいく。
〔Ｓ８７〕ＶＡＴＴ１５（ｎ）の上限アラームを回復する。
〔Ｓ８８〕ＶＡＴＴ１５（ｎ）の減衰を強める（光レベルを下げる）。そして、ステップＳ８３へいく。
〔Ｓ８９〕ステップＳ７１で取得したＰＤ１７ｄによるモニタ値は、ステップＳ７６で求めた下限値から上限値までの範囲以内か否かを判断する。下限値から上限値までの範囲より低い場合はステップＳ９０へ、高い場合はステップＳ９６へ、範囲以内ならステップＳ７１へ戻る。
〔Ｓ９０〕ＶＡＴＴ１４の減衰度がゼロか否かを判断する（ゼロならステップＳ９１へ、そうでなければステップＳ９２へいく。すなわち、まったく減衰させていない場合はステップＳ９１へ、減衰度が設定されている場合は、ステップＳ９２へいく。
〔Ｓ９１〕ＶＡＴＴ１４の下限アラームを発生する（これ以上、光レベルを上げられないので）。
〔Ｓ９２〕下限アラームが発生中か否かを判断する。発生中ならステップＳ９３へ、そうでなければステップＳ９４へいく。
〔Ｓ９３〕ＶＡＴＴ１４の下限アラームを回復する。
〔Ｓ９４〕ＶＡＴＴ１４の減衰を弱める（光レベルを上げる）。
〔Ｓ９５〕ＰＤ１７ｄからモニタ値を取得する。そして、ステップＳ８９へ戻る。
〔Ｓ９６〕ＶＡＴＴ１４の減衰度が最大か否かを判断する。最大ならステップＳ９７へ、そうでなければステップＳ９８へいく。
〔Ｓ９７〕ＶＡＴＴ１４の上限アラームを発生する（これ以上、光レベルを下げられないので）。
〔Ｓ９８〕上限アラームが発生中か否かを判断する。発生中ならステップＳ９９へ、そうでなければステップＳ１００へいく。
〔Ｓ９９〕ＶＡＴＴ１４の上限アラームを回復する。
〔Ｓ１００〕ＶＡＴＴ１４の減衰を強める（光レベルを下げる）。そして、ステップＳ９５へいく。
【００７０】
次に第２の実施の形態の光伝送装置の構成及び動作について詳しく説明する。図１７は光伝送装置１０ａの第２の実施の形態の構成を示す図である。図２で上述した光伝送装置１０ａ−１では、ＰＤ１７ｄをＶＡＴＴ１４の出力段に、ＰＤｅ−１〜１７ｅ−ｎそれぞれをＶＡＴＴ１５−１〜１５−ｎの出力段において光パワーをモニタする構成としたが、第２の実施の形態の光伝送装置１０ａ−２では、ＰＤ１７ｆを光合波部１６の出力段に設けて、合波された光信号のパワーをモニタする。第１の実施の形態の構成と異なる点はこの部分だけであるので、その他の構成説明は省略する。
【００７１】
次に第２の実施の形態の光伝送装置１０ａ−２における光レベル調整制御について説明する。ここでの光レベル調整制御としては、ポストアンプ１２で規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出する。
【００７２】
そして、ＰＤ１７ｆのモニタ値をもとに、Ｔｈｒｕ光の光レベル推定値及びＡｄｄ光の光レベル推定値を求め、Ｔｈｒｕ光の光レベル推定値が、算出したＴｈｒｕ光の上限値と下限値の範囲内に収まるように、かつＡｄｄ光の光レベル推定値が、算出したＡｄｄ光の上限値と下限値の範囲内に収まるように、光レベルの調整制御を行う。
【００７３】
具体例で説明する。最初に初期条件として、ポストアンプ１２に入力される光レベルの上限値を１００、ポストアンプ１２に入力される光レベルの下限値を８０とし、Ｔｈｒｕ光の波長数を１５、Ａｄｄ光の波長数を５とする。また、ポストアンプ１２に現在入力されている光レベルを１２０とする（ＰＤ１７ｆによるモニタ結果により）。
【００７４】
まず、ポストアンプ１２の入力上限値が１００、Ｔｈｒｕ光の波長数が１５、Ａｄｄ光波長数が５であるため、Ｔｈｒｕ光の上限値＝１００＊（１５／（１５＋５））＝７５となり、Ａｄｄ光の上限値＝１００＊（１／（１５＋５））＝５となる。同様に下限値については、Ｔｈｒｕ光の下限値＝８０＊（１５／（１５＋５））＝６０となり、Ａｄｄ光の下限値＝８０＊（１／（１５＋５））＝４となる。
【００７５】
また、ＰＤ１７ｆで測定したポストアンプ１２への入力が１２０であるためＴｈｒｕ光の推定光レベルは波長数の比より、Ｔｈｒｕ光の推定値Ｍ６ａ＝１２０＊（１５／（１５＋５））＝９０と求まる。同様にＡｄｄ光の推定値に対しても、Ａｄｄ光の推定値Ｍ６ｂ＝１２０＊（１／（１５＋５））＝４と求まる。
【００７６】
そして、Ｔｈｒｕ光の推定値Ｍ６ａが、６０≦Ｍ６ａ≦７５になるようにＶＡＴＴ１４に対して制御信号を送出して調節する。同様に、Ａｄｄ光の推定値Ｍ６ｂが４≦Ｍ６ｂ≦５になるようにＶＡＴＴ１５に対して制御信号を送出して調節する。
【００７７】
このような光レベル調整制御を行うことで、光合波部１６で合波される光信号を、ポストアンプ１２で規定される入力範囲内であり、かつ各波長の光レベルを一定となるようにすることができる。
【００７８】
次に光伝送装置１０ａ−２における光レベル調整制御について詳細なフローチャートを用いて説明する。図１８〜図２０は第２の実施の形態の光レベル調整制御のフローチャートを示す図である。なお、各ステップの動作はすべてＮＥＭ１８ｂ（光レベル調整制御部１８）の動作である。ステップＳ１１７〜ステップＳ１３０はＶＡＴＴ１５（ｎ）の光レベル調整制御であり（ｎ回繰り返す）、ステップＳ１３１〜ステップＳ１４４はＶＡＴＴ１４の光レベル調整制御である。
〔Ｓ１１１〕ポストアンプ１２で規定されている入力レベル上限値（Ｐｍａｘ）と入力レベル下限値（Ｐｍｉｎ）を取得する。
〔Ｓ１１２〕ポストアンプ１２で規定されている入力レベル上限値のマージンと入力レベル下限値のマージンを取得する。ここでは、双方のマージンを共にαとする。
〔Ｓ１１３〕実質的なポストアンプ１２の光レベル上限値（＝Ｐｍａｘ−α）と光レベル下限値（＝Ｐｍｉｎ＋α）を算出する。
〔Ｓ１１４〕Ｔｈｒｕ光とＡｄｄ光の波長数比により、Ｔｈｒｕ光の上限値（Ｐｍａｘ  ｔｈｒｕ）と下限値（Ｐｍｉｎ  ｔｈｒｕ）を上述の式（３ａ）、（３ｂ）で算出し、Ａｄｄ光の上限値（Ｐｍａｘ  ａｄｄ）と下限値（Ｐｍｉｎ  ａｄｄ）を以下の式（３ｃ）、（３ｄ）で算出する。
〔Ｓ１１５〕ＰＤ１７ｆからモニタ値（Ｐａｌｌ）を取得する。
〔Ｓ１１６〕Ｔｈｒｕ光のレベル推定値（Ｐｇｕｔｈｒｕ）とＡｄｄ光のレベル推定値（Ｐｇｕａｄｄ）を以下の式で求める。
【００７９】
【数４】
Ｐｇｕｔｈｒｕ＝（Ｗｎｏ ｔｈｒｕ／Ｗｎｏ ａｌｌ）・（Ｐａｌｌ）                （４ａ）
Ｐｇｕａｄｄ＝（１／Ｗｎｏ ａｌｌ）・（Ｐａｌｌ）                （４ｂ）
〔Ｓ１１７〕Ａｄｄ光のレベル推定値は、ステップＳ１１４で求めた下限値から上限値までの範囲以内か否かを判断する。下限値から上限値までの範囲より低い場合はステップＳ１１８へ、高い場合はステップＳ１２５へ、範囲以内ならステップＳ１３１へいく。
〔Ｓ１１８〕期待増加値（Ｐｅｘａｄｄ  ｉｎｃ）を算出する。期待増加値とは、下限値に対してどれだけレベルを増加させるかの値である。したがって、Ｐｅｘａｄｄ  ｉｎｃ＝Ｐｍｉｎ  ａｄｄ−Ｐｇｕａｄｄとなる。
〔Ｓ１１９〕ＶＡＴＴ１５（ｎ）の減衰度がゼロか否かを判断する（ゼロならステップＳ１２０へ、そうでなければステップＳ１２１へいく。すなわち、まったく減衰させていない場合はステップＳ１２０へ、減衰度が設定されている場合は、ステップＳ１２１へいく。
〔Ｓ１２０〕ＶＡＴＴ１５（ｎ）の下限アラームを発生する（これ以上、光レベルを上げられないので）。
〔Ｓ１２１〕下限アラームが発生中か否かを判断する。発生中ならステップＳ１２２へ、そうでなければステップＳ１２３へいく。
〔Ｓ１２２〕ＶＡＴＴ１５（ｎ）の下限アラームを回復する。
〔Ｓ１２３〕ＶＡＴＴ１５（ｎ）の減衰を弱める（光レベルを上げる）。
〔Ｓ１２４〕ＰＤ１７ｆからモニタ値を取得する。そして、ステップＳ１１６へ戻りＡｄｄ光のレベル推定値を再び算出される。
〔Ｓ１２５〕期待減衰値（Ｐｅｘａｄｄ  ｄｅｃ）を算出する。期待減衰値とは、上限値に対してどれだけレベルを減衰させるかの値である。したがって、Ｐｅｘａｄｄ  ｄｅｃ＝Ｐｇｕａｄｄ−Ｐｍａｘ  ａｄｄとなる。
〔Ｓ１２６〕ＶＡＴＴ１５（ｎ）の減衰度が最大か否かを判断する。最大ならステップＳ１２７へ、そうでなければステップＳ１２８へいく。
〔Ｓ１２７〕ＶＡＴＴ１５（ｎ）の上限アラームを発生する（これ以上、光レベルを下げられないので）。
〔Ｓ１２８〕上限アラームが発生中か否かを判断する。発生中ならステップＳ１２９へ、そうでなければステップＳ１３０へいく。
〔Ｓ１２９〕ＶＡＴＴ１５（ｎ）の上限アラームを回復する。
〔Ｓ１３０〕ＶＡＴＴ１５（ｎ）の減衰を強める（光レベルを下げる）。そして、ステップＳ１２４へいく。
〔Ｓ１３１〕Ｔｈｒｕ光のレベル推定値は、ステップＳ１１４で求めた下限値から上限値までの範囲以内か否かを判断する。下限値から上限値までの範囲より低い場合はステップＳ１３２へ、高い場合はステップＳ１２５へ、範囲以内ならステップＳ１１１へいく。
〔Ｓ１３２〕期待増加値（Ｐｅｘｔｈｒｕ  ｉｎｃ）を算出する。Ｐｅｘｔｈｒｕ  ｉｎｃ＝Ｐｍｉｎ  ｔｈｒｕ−Ｐｇｕｔｈｒｕである。
〔Ｓ１３３〕ＶＡＴＴ１４の減衰度がゼロか否かを判断する（ゼロならステップＳ１３４へ、そうでなければステップＳ１３５へいく。すなわち、まったく減衰させていない場合はステップＳ１３４へ、減衰度が設定されている場合は、ステップＳ１３５へいく。
〔Ｓ１３４〕ＶＡＴＴ１４の下限アラームを発生する（これ以上、光レベルを上げられないので）。
〔Ｓ１３５〕下限アラームが発生中か否かを判断する。発生中ならステップＳ１３６へ、そうでなければステップＳ１３７へいく。
〔Ｓ１３６〕ＶＡＴＴ１４の下限アラームを回復する。
〔Ｓ１３７〕ＶＡＴＴ１４の減衰を弱める（光レベルを上げる）。
〔Ｓ１３８〕ＰＤ１７ｆからモニタ値を取得する。そして、ステップＳ１１６へ戻りＴｈｒｕ光のレベル推定値を再び算出される。
〔Ｓ１３９〕期待減衰値（Ｐｅｘｔｈｒｕ  ｄｅｃ）を算出する。Ｐｅｘｔｈｒｕ  ｄｅｃ＝Ｐｇｕｔｈｒｕ−Ｐｍａｘ  ｔｈｒｕである。
〔Ｓ１４０〕ＶＡＴＴ１４の減衰度が最大か否かを判断する。最大ならステップＳ１４１へ、そうでなければステップＳ１４２へいく。
〔Ｓ１４１〕ＶＡＴＴ１４の上限アラームを発生する（これ以上、光レベルを下げられないので）。
〔Ｓ１４２〕上限アラームが発生中か否かを判断する。発生中ならステップＳ４３へ、そうでなければステップＳ１４４へいく。
〔Ｓ１４３〕ＶＡＴＴ１４の上限アラームを回復する。
〔Ｓ１４４〕ＶＡＴＴ１４の減衰を強める（光レベルを下げる）。そして、ステップＳ１３８へいく。
【００８０】
以上説明したように、本発明によれば、完全に波長分離させた後の全波長に対してＶＡＴＴによる減衰、ＰＤによるモニタを行うのではなく、多重化されたままで一括して減衰、モニタする。これにより、システムの全中継局において、ＶＡＴＴ／ＰＤを用意するためのコストを削減することが可能となる。
【００８１】
また、前局からの光信号を受光する装置と次局へ光信号を送信する装置を一体化させることで、装置構成の簡略化が実現できる。これにより、ファイバ接続数が減少するため、保守者の作業負担が軽減される。また、人為的なミスが減少し、信頼性の向上につながる。さらに、ＶＡＴＴによる光レベル調整を自動的に行うことができるので、運用効率及び利便性の向上を図ることが可能になる。
【００８２】
（付記１）  ＷＤＭの光伝送を行う光伝送装置において、
前局からの光信号を受信し増幅するプリアンプと、
合波された光信号を増幅し、次局へ送信するポストアンプと、
前記プリアンプで増幅後の光信号を、Ｔｈｒｕ光とＤｒｏｐ光とに分岐する光分岐部と、
制御信号にもとづいて、波長多重されているＴｈｒｕ光の光レベルを一括して調整する第１の光可変減衰器と、
制御信号にもとづいて、波長多重後のＡｄｄ光の光レベルを一括して調整する第２の光可変減衰器と、
前記第１の光可変減衰器及び前記第２の光可変減衰器から出力された後の光信号を合波する光合波部と、
前記第１の光可変減衰器及び前記第２の光可変減衰器から出力される光信号をモニタする光モニタ部と、
モニタ結果にもとづいて、前記ポストアンプの入力レベル範囲内で、かつ各波長の光レベルがすべて同一値となるように、前記制御信号を生成して、前記第１の光可変減衰器及び前記第２の光可変減衰器の光レベルの調整制御を行う光レベル調整制御部と、
を有することを特徴とする光伝送装置。
【００８３】
（付記２）  前記光モニタ部は、前記第１の光可変減衰器の出力をモニタする第１のモニタ部と、前記第２の光可変減衰器の出力をモニタする第２のモニタ部と、から構成されることを特徴とする付記１記載の光伝送装置。
【００８４】
（付記３）  前記光レベル調整制御部は、前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、前記第１のモニタ部によるモニタ値が、算出したＴｈｒｕ光の上限値と下限値の範囲内に収まるように、かつ前記第２のモニタ部によるモニタ値が、算出したＡｄｄ光の上限値と下限値の範囲内に収まるように、光レベルの調整制御を行うことを特徴とする付記２記載の光伝送装置。
【００８５】
（付記４）  前記光モニタ部は、前記光合波部の出力をモニタすることを特徴とする付記１記載の光伝送装置。
（付記５）  前記光レベル調整制御部は、前記第１の光可変減衰器または前記第２の光可変減衰器のいずれか一方の減衰制御幅を固定値とし、他方の減衰制御幅をＴｈｒｕ光とＡｄｄ光それぞれの波長数比から決定して、前記光モニタ部のモニタ値が、前記ポストアンプで規定された光レベルの上限値と下限値の範囲内に収まるように、双方の減衰制御幅を動かして、光レベルの調整制御を行うことを特徴とする付記４記載の光伝送装置。
【００８６】
（付記６）  前記光レベル調整制御部は、前記第１の光可変減衰器または前記第２の光可変減衰器の減衰度を最大減衰度に設定したにもかかわらず、前記ポストアンプへの入力光レベルが上限値を上回る場合、または最小減衰度に設定したにもかかわらず前記ポストアンプへの入力光が下限値を下回る場合には、アラームを発出し、アラーム発出後、前記ポストアンプへの入力光レベルが上限値と下限値内に収まった際は、アラーム回復を通知することを特徴とする付記１記載の光伝送装置。
【００８７】
（付記７）  ＷＤＭの光伝送を行う光伝送装置において、
前局からの光信号を受信し増幅するプリアンプと、
合波された光信号を増幅し、次局へ送信するポストアンプと、
前記プリアンプで増幅後の光信号を、Ｔｈｒｕ光とＤｒｏｐ光とに分岐する光分岐部と、
制御信号にもとづいて、波長多重されているＴｈｒｕ光の光レベルを一括して調整する第１の光可変減衰器と、
制御信号にもとづいて、波長多重前の各Ａｄｄ光の光レベルを個別に調整する第２の光可変減衰器と、
前記第１の光可変減衰器から出力される光信号と、前記第２の光可変減衰器から出力され波長多重された後の光信号とを合波する光合波部と、
前記第１の光可変減衰器及び前記第２の光可変減衰器から出力された後の光信号をモニタする光モニタ部と、
モニタ結果にもとづいて、前記ポストアンプの入力レベル範囲内で、かつ各波長の光レベルがすべて同一値となるように、前記制御信号を生成して、前記第１の光可変減衰器及び第２の光可変減衰器の光レベルの調整制御を行う光レベル調整制御部と、
を有することを特徴とする光伝送装置。
【００８８】
（付記８）  前記光モニタ部は、前記第１の光可変減衰器の出力をモニタする第１のモニタ部と、前記第２の光可変減衰器の出力をモニタする第２のモニタ部と、から構成されることを特徴とする付記７記載の光伝送装置。
【００８９】
（付記９）  前記光レベル調整制御部は、前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、前記第１のモニタ部によるモニタ値が、算出したＴｈｒｕ光の上限値と下限値の範囲内に収まるように、かつ前記第２のモニタ部によるモニタ値が、算出したＡｄｄ光の上限値と下限値の範囲内に収まるように、光レベルの調整制御を行うことを特徴とする付記８記載の光伝送装置。
【００９０】
（付記１０）  前記光モニタ部は、前記光合波部の出力をモニタすることを特徴とする付記７記載の光伝送装置。
（付記１１）  前記光レベル調整制御部は、前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、前記光モニタ部のモニタ値をもとに、Ｔｈｒｕ光の光レベル推定値及びＡｄｄ光の光レベル推定値を求め、Ｔｈｒｕ光の光レベル推定値が、算出したＴｈｒｕ光の上限値と下限値の範囲内に収まるように、かつＡｄｄ光の光レベル推定値が、算出したＡｄｄ光の上限値と下限値の範囲内に収まるように、光レベルの調整制御を行うことを特徴とする付記１０記載の光伝送装置。
【００９１】
（付記１２）  前記光レベル調整制御部は、前記第１の光可変減衰器または前記第２の光可変減衰器の減衰度を最大減衰度に設定したにもかかわらず、前記ポストアンプへの入力光レベルが上限値を上回る場合、または最小減衰度に設定したにもかかわらず前記ポストアンプへの入力光が下限値を下回る場合には、アラームを発出し、アラーム発出後、前記ポストアンプへの入力光レベルが上限値と下限値内に収まった際は、アラーム回復を通知することを特徴とする付記７記載の光伝送装置。
【００９２】
（付記１３）  ＷＤＭ伝送時の光信号の光レベルを調整する光レベル調整方法において、
前局からの光信号をプリアンプで受信して増幅した後の光信号を、Ｔｈｒｕ光とＤｒｏｐ光とに分岐し、
制御信号にもとづいて、波長多重されているＴｈｒｕ光の光レベルを第１の光可変減衰器で一括して調整し、
制御信号にもとづいて、波長多重後のＡｄｄ光の光レベルを第２の光可変減衰器で一括して調整し、
前記第１の光可変減衰器及び前記第２の光可変減衰器から出力される光信号を合波し、
前記第１の光可変減衰器及び前記第２の光可変減衰器から出力された後の光信号をモニタし、
合波された光信号を増幅して次局へ送信するためのポストアンプに対し、前記ポストアンプの入力レベル範囲内で、かつ各波長の光レベルがすべて同一値となるように、モニタ結果にもとづいて前記制御信号を生成して、前記第１の光可変減衰器及び前記第２の光可変減衰器の光レベルの調整制御を行うことを特徴とする光レベル調整方法。
【００９３】
（付記１４）  前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、前記第１の光可変減衰器の出力をモニタしたモニタ値が、算出したＴｈｒｕ光の上限値と下限値の範囲内に収まるように、かつ前記第２の光可変減衰器の出力をモニタしたモニタ値が、算出したＡｄｄ光の上限値と下限値の範囲内に収まるように、光レベルの調整制御を行うことを特徴とする付記１３記載の光レベル調整方法。
【００９４】
（付記１５）  前記第１の光可変減衰器または前記第２の光可変減衰器のいずれか一方の減衰制御幅を固定値とし、他方の減衰制御幅をＴｈｒｕ光とＡｄｄ光それぞれの波長数比から決定して、合波後の出力信号をモニタしたモニタ値が、前記ポストアンプで規定された光レベルの上限値と下限値の範囲内に収まるように、双方の減衰制御幅を動かして、光レベルの調整制御を行うことを特徴とする付記１３記載の光レベル調整方法。
【００９５】
（付記１６）  前記第１の光可変減衰器または前記第２の光可変減衰器の減衰度を最大減衰度に設定したにもかかわらず、前記ポストアンプへの入力光レベルが上限値を上回る場合、または最小減衰度に設定したにもかかわらず前記ポストアンプへの入力光が下限値を下回る場合には、アラームを発出し、アラーム発出後、前記ポストアンプへの入力光レベルが上限値と下限値内に収まった際は、アラーム回復を通知することを特徴とする付記１３記載の光レベル調整方法。
【００９６】
（付記１７）  ＷＤＭ伝送時の光信号の光レベルを調整する光レベル調整方法において、
前局からの光信号をプリアンプで受信して増幅した後の光信号を、Ｔｈｒｕ光とＤｒｏｐ光とに分岐し、
制御信号にもとづいて、波長多重されているＴｈｒｕ光の光レベルを第１の光可変減衰器で一括して調整し、
制御信号にもとづいて、波長多重前の各Ａｄｄ光の光レベルを第２の光可変減衰器で個別に調整し、
前記第１の光可変減衰器から出力される光信号と、前記第２の光可変減衰器から出力され波長多重された後の光信号とを合波し、
前記第１の光可変減衰器及び前記第２の光可変減衰器から出力された後の光信号をモニタし、
合波された光信号を増幅して次局へ送信するためのポストアンプに対し、前記ポストアンプの入力レベル範囲内で、かつ各波長の光レベルがすべて同一値となるように、モニタ結果にもとづいて前記制御信号を生成して、前記第１の光可変減衰器及び前記第２の光可変減衰器の光レベルの調整制御を行うことを特徴とする光レベル調整方法。
【００９７】
（付記１８）  前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、前記第１の光可変減衰器の出力をモニタしたモニタ値が、算出したＴｈｒｕ光の上限値と下限値の範囲内に収まるように、かつ前記第２の光可変減衰器の出力をモニタしたモニタ値が、算出したＡｄｄ光の上限値と下限値の範囲内に収まるように、光レベルの調整制御を行うことを特徴とする付記１７記載の光レベル調整方法。
【００９８】
（付記１９）  前記ポストアンプで規定された光レベルの上限値と下限値をもとに、Ｔｈｒｕ光とＡｄｄ光それぞれの波長数比から、Ｔｈｒｕ光の光レベル上限値及び下限値と、Ａｄｄ光の光レベル上限値及び下限値とを算出し、合波後の出力信号をモニタしたモニタ値をもとに、Ｔｈｒｕ光の光レベル推定値及びＡｄｄ光の光レベル推定値を求め、Ｔｈｒｕ光の光レベル推定値が、算出したＴｈｒｕ光の上限値と下限値の範囲内に収まるように、かつＡｄｄ光の光レベル推定値が、算出したＡｄｄ光の上限値と下限値の範囲内に収まるように、光レベルの調整制御を行うことを特徴とする付記１７記載の光レベル調整方法。
【００９９】
（付記２０）  前記第１の光可変減衰器または前記第２の光可変減衰器の減衰度を最大減衰度に設定したにもかかわらず、前記ポストアンプへの入力光レベルが上限値を上回る場合、または最小減衰度に設定したにもかかわらず前記ポストアンプへの入力光が下限値を下回る場合には、アラームを発出し、アラーム発出後、前記ポストアンプへの入力光レベルが上限値と下限値内に収まった際は、アラーム回復を通知することを特徴とする付記１７記載の光レベル調整方法。
【０１００】
【発明の効果】
以上説明したように、本発明の光伝送装置は、ポストアンプの入力レベル範囲内で、かつ各波長の光レベルがすべて同一値となるように、モニタ結果にもとづき制御信号を生成して、すべてのＴｈｒｕ光の光レベルを一括して調整する第１の光可変減衰器及び波長多重後のすべてのＡｄｄ光の光レベルを一括して調整する第２の光可変減衰器の光レベルの調整制御を行う構成とした。これにより、高品質な光レベル調整制御を行うことができるので、装置規模を削減し、光伝送の品質及び信頼性の向上を図ることが可能になる。
【図面の簡単な説明】
【図１】本発明の光伝送装置の原理図である。
【図２】光伝送装置の第１の実施の形態の構成を示す図である。
【図３】第１の実施の形態の光レベル調整制御のフローチャートを示す図である。
【図４】第１の実施の形態の光レベル調整制御のフローチャートを示す図である。
【図５】第１の実施の形態の光レベル調整制御のフローチャートを示す図である。
【図６】第１の実施の形態の光レベル調整制御のフローチャートを示す図である。
【図７】第１の実施の形態の光レベル調整制御のフローチャートを示す図である。
【図８】光伝送装置の第２の実施の形態の構成を示す図である。
【図９】第２の実施の形態の光レベル調整制御のフローチャートを示す図である。
【図１０】第２の実施の形態の光レベル調整制御のフローチャートを示す図である。
【図１１】第２の実施の形態の光レベル調整制御のフローチャートを示す図である。
【図１２】本発明の光伝送装置の原理図である。
【図１３】光伝送装置の第１の実施の形態の構成を示す図である。
【図１４】第１の実施の形態の光レベル調整制御のフローチャートを示す図である。
【図１５】第１の実施の形態の光レベル調整制御のフローチャートを示す図である。
【図１６】第１の実施の形態の光レベル調整制御のフローチャートを示す図である。
【図１７】光伝送装置の第２の実施の形態の構成を示す図である。
【図１８】第２の実施の形態の光レベル調整制御のフローチャートを示す図である。
【図１９】第２の実施の形態の光レベル調整制御のフローチャートを示す図である。
【図２０】第２の実施の形態の光レベル調整制御のフローチャートを示す図である。
【図２１】従来のＷＤＭ装置の構成を示す図である。
【符号の説明】
１０  光伝送装置
１１  プリアンプ
１２  ポストアンプ
１３  光分岐部
１３ａ  光カプラ
１３ｂ  ＤＭＵＸ
１４  第１の光可変減衰器
１５  第２の光可変減衰器
１６  光合波部
１７  光モニタ部
１８  光レベル調整制御部
１９  ＭＵＸ
【図１】
2004228671.tif 000003
【図２】
2004228671.tif 000004
【図３】
2004228671.tif 000005
【図４】
2004228671.tif 000006
【図５】
2004228671.tif 000007
【図６】
2004228671.tif 000008
【図７】
2004228671.tif 000009
【図８】
2004228671.tif 000010
【図９】
2004228671.tif 000011
【図１０】
2004228671.tif 000012
【図１１】
2004228671.tif 000013
【図１２】
2004228671.tif 000014
【図１３】
2004228671.tif 000015
【図１４】
2004228671.tif 000016
【図１５】
2004228671.tif 000017
【図１６】
2004228671.tif 000018
【図１７】
2004228671.tif 000019
【図１８】
2004228671.tif 000020
【図１９】
2004228671.tif 000021
【図２０】
2004228671.tif 000022
【図２１】
2004228671.tif 000023